(57)【要約】【課題】つる植物を高所まで這い上がらせることができ、しかも、それを施工容易に実現することができ、加えて、つる植物の手入れや実の収穫の作業も容易にすることができる植物誘引装置を提供する。【解決手段】間隔をおいて立てられた支柱２，２間に水平な上下の桟４，５がわたされ、下桟４は固定で、上桟５は支柱に沿って昇降可能であり、上下の桟間に複数本の中桟１２…が配列され、これら桟４，５，１２…がバネ１３…で連結され、上桟５を上昇させることで、各バネが弾性的に伸長し桟間の間隔寸法を大きくし誘引ネット１４が各桟間で上下方向に張った状態となり、上桟５を下降させることで、各バネが弾性的に復元し桟間の間隔寸法を小さくし誘引ネット１４が各桟間で上下方向に弛んだ状態となる。【選択図】      図１
2010252725.tif 000002
【特許請求の範囲】
【請求項１】
間隔をおいて立てられた支柱間に水平な上下の桟がわたされ、下桟は固定で、上桟は支柱に沿って昇降可能に備えられ、
該上下の桟間に複数本の水平な中桟が上下方向に間隔をおいて配列されると共に、上桟と最上の中桟とがバネで連結され、隣り合う中桟同士がバネで連結され、最下の中桟と下桟とがバネで連結され、かつ、前記上下の桟と各中桟とにつる植物誘引ネットが連結され、
上桟を上昇させていくことにより、各バネが弾性的に伸長していって桟間の間隔寸法を大きくしていき、誘引ネットが各桟間で上下方向に張った状態となっていくようになされており、
上桟を下降させていくことにより、各バネが弾性的に復元していって桟間の間隔寸法を小さくしていき、誘引ネットが各桟間で上下方向に弛んだ状態となっていくようになされていることを特徴とするつる植物誘引装置。
【発明の詳細な説明】
【技術分野】
【０００１】
本発明は、つる植物誘引装置に関する。
【背景技術】
【０００２】
つる植物誘引装置して、垂直に立てた金網や格子につる植物を絡みつかさせるようにしたものは、従来より、提供されている。
【先行技術文献】
【特許文献】
【０００３】
【特許文献１】特開平０９−１４４１２９号公報
【特許文献２】特開平１０−３１３６９２号公報
【発明の概要】
【発明が解決しようとする課題】
【０００４】
しかしながら、つる植物をヒトの背を越えるような高所にまで這い上がらせるような場合、金網や格子の施工に足場が必要となって、施工が容易ではないという問題がある。
【０００５】
また、高所まで這い上がったつる植物の手入れをしたり、実を収穫したりするのにも、足場が必要で、手入れや収穫が容易でないという問題もある。
【０００６】
本発明は、上記のような問題点に鑑み、つる植物を高所まで這い上がらせることができ、しかも、それを施工容易に実現することができ、加えて、つる植物の手入れや実の収穫の作業も容易にすることができる植物誘引装置を提供することを課題とする。
【課題を解決するための手段】
【０００７】
上記の課題は、間隔をおいて立てられた支柱間に水平な上下の桟がわたされ、下桟は固定で、上桟は支柱に沿って昇降可能に備えられ、
該上下の桟間に複数本の水平な中桟が上下方向に間隔をおいて配列されると共に、上桟と最上の中桟とがバネで連結され、隣り合う中桟同士がバネで連結され、最下の中桟と下桟とがバネで連結され、かつ、前記上下の桟と各中桟とにつる植物誘引ネットが連結され、
上桟を上昇させていくことにより、各バネが弾性的に伸長していって桟間の間隔寸法を大きくしていき、誘引ネットが各桟間で上下方向に張った状態となっていくようになされており、
上桟を下降させていくことにより、各バネが弾性的に復元していって桟間の間隔寸法を小さくしていき、誘引ネットが各桟間で上下方向に弛んだ状態となっていくようになされていることを特徴とするつる植物誘引装置によって解決される。
【０００８】
この装置では、上桟を下降状態にすることで、バネや中桟、誘引ネットの取付けを低所で行うことができ、バネを復元力に抗して大きく伸長させる必要もなく、施工を容易にすることができる。
【０００９】
しかも、バネや中桟、誘引ネットの取付けを行った後、上桟を上昇させれば、各バネが弾性的に伸長して桟間の間隔寸法が大きくなっていき、誘引ネットは、各桟間で上下方向に張った状態となって、高所にまで張り上げられ、それによって、つる植物を高所まで這い上がらせることができる。
【００１０】
加えて、つる植物の手入れや実の収穫を行うときは、上桟を下降させれば、各バネが弾性的に復元していって桟間の間隔寸法が小さくなっていき、誘引ネットが各桟間で上下方向に弛んだ状態となっていくので、高所にあったつる植物の手入れや実の収穫を低所にて行うことができ、つる植物の手入れや実の収穫の作業を容易にすることができる。
【００１１】
そして、上下の桟間に複数本の水平な中桟が上下方向に間隔をおいて配列され、上桟と最上の中桟とがバネで連結され、隣り合う中桟同士がバネで連結され、最下の中桟と下桟とがバネで連結され、前記上下の桟と各中桟とにつる植物誘引ネットが連結された構成において、上桟を上昇させていくことにより、各バネが弾性的に伸長していって桟間の間隔寸法を大きくしていき、誘引ネットが各桟間で上下方向に張った状態となっていくようになされており、上桟を下降させていくことにより、各バネが弾性的に復元していって桟間の間隔寸法を小さくしていき、誘引ネットが各桟間で上下方向に弛んだ状態となっていくようになされているので、
つる植物は、誘引ネットのみならず、誘引ネットを連結している上下の桟や中桟にも絡みつくことができて、つる植物をしっかり支えることができると共に、つる植物の手入れや実の収穫のための上桟の昇降操作によってつる植物が傷付いてしまうのを防ぐことができる。
【発明の効果】
【００１２】
本発明は、以上のとおりのものであるから、つる植物を高所まで這い上がらせることができ、しかも、それを施工容易に実現することができ、加えて、つる植物の手入れや実の収穫の作業も容易にすることができる。
【図面の簡単な説明】
【００１３】
【図１】実施形態のつる植物誘引装置を示すもので、図（イ）は正面図、図（ロ）は図（イ）のＩ−Ｉ線断面矢視図である。
【図２】成長したつる植物に対する手入れや実の収穫の方法を示すもので、図（イ）は正面図、図（ロ）は図（イ）のＩＩ−ＩＩ線断面矢視図である。
【図３】図（イ）及び図（ロ）は、図３（イ）（ロ）と共に、誘引装置の形成方法を順次に示す正面図である。
【図４】図（イ）及び図（ロ）は、図２（イ）（ロ）と共に、誘引装置の形成方法を順次に示す正面図である。
【発明を実施するための形態】
【００１４】
次に、本発明の実施形態を図面に基づいて説明する。
【００１５】
図１に示す実施形態のつる植物誘引装置１は、例えば壁面緑化に用いられるもので、２，２は左右の支柱であり、これらの支柱２，２は、例えば、建物の壁面に沿うように互いに間隔をおいて、地面３に立てられる。そして、支柱２，２間には、水平な上下の桟４，５がわたされ、下桟４はその両端が左右の支柱２，２に固定されており、上桟５は昇降機構６により支柱２，２に沿って昇降することができるようになされている。
【００１６】
昇降機構６は、左右の支柱２，２のそれぞれに取り付けられた上下の滑車７，８にロープ９が掛けられ、上下の滑車７，８間において各支柱２，２に取り付けられた巻上げ部１０を左右方向に延びる水平な連動用の巻上げバー１１で連結したもので、上下方向に延びるロープ部分にブラケット１５で上桟５の端部が取り付けられ、巻上げバー１１を回転操作することにより、上桟５を水平状態に保ちながら昇降させることができるようになされている。
【００１７】
そして、上下の桟４，５間に複数本の水平な中桟１２…が上下方向に間隔をおいて配列されると共に、上桟５と最上の中桟１２とが左右方向に間隔をおいた複数のバネ１３…で連結され、隣り合う中桟１２…同士も左右方向に間隔をおいた複数のバネ１３…で連結され、最下の中桟１２と下桟４も左右方向に間隔をおいた複数のバネ１３…で連結され、上下の桟４，５と各中桟１２…とにつる植物誘引ネット１４が連結されて、つる植物誘引装置１が構成されている。
【００１８】
中桟１２…やバネ１３…、誘引ネット１４の施工は、次のようにして行う。即ち、図３（イ）に示すように、上桟５を低所に下降させた後、図３（ロ）に示すように、上桟５にバネ１３…を吊り下げ状態に取り付け、これらバネ１３…の下端部に中桟１２を連結し、該中桟１２にバネ１３…を吊り下げ状態に取り付け、これらバネ１３…の下端部に次の中桟１２を連結するという作業を繰り返していき、そして、図４（イ）に示すように、最下の中桟１２にバネ１３…を吊り下げ状態に取り付けた後、これらバネ１３…を下桟４に連結する。しかる後、図４（ロ）に示すように、誘引ネットを上下の桟４，５及び中桟１２…間で上下方向に弛んだ状態となるように、各桟４，５，１２…に連結する。
【００１９】
そして、図１に示すように、巻上げバー１１を回転させることにより、上桟５を高所へと上昇させていく。すると、各バネ１３…が弾性的に伸長していって桟４，５，１２…間の間隔寸法が大きくなっていき、誘引ネット１４が各桟４，５，１２…間で上下方向に張った状態となる。以上のようにして、つる植物誘引装置１が形成される。
【００２０】
つる植物は、例えば、左右の支柱２，２間の地面３に植えられ、誘引ネット１４に誘引すれば、上桟５に向けて高所へと這い上がって成長していくことかできる。
【００２１】
このように、上記のつる植物誘引装置１によれば、上桟５を下降状態にすることで、バネ１３…や中桟１２…、誘引ネット１４の取付けを低所で行うことができ、これらの施工を容易にすることができる。
【００２２】
しかも、バネ１３…や中桟１２…、誘引ネット１４の取付けを行った後、上桟５を上昇させていけば、各バネ１３…が弾性的に伸長して桟４，５，１２…間の間隔寸法が大きくなっていき、誘引ネット１４は、各桟４，５，１２…間で上下方向に張った状態となって、高所にまで張り上げられ、それによって、つる植物を高所まで這い上がらせることができる。
【００２３】
特に、つる植物は、這い上がっていく過程で、誘引ネット１４に支えられるのみならず、上下の桟４，５や中桟１２…にも支えられて、安定良く這い上がっていくことができる。
【００２４】
そして、高所まで成長したつる植物に対し、手入れを行ったり、実を収穫する場合は、図２に示すように、巻上げバー１１を逆方向に回転させて上桟５を低所へと下降させていけばよい。すると、各バネ１３…は弾性的に復元していって、桟４，５，１２…間の間隔寸法は小さくなっていき、誘引ネット１４は各桟４，５，１２…間で上下方向に弛んだ状態となり、つる植物は上下方向において均等的に短縮される。これにより、高所まで這い上がったつる植物を低所に位置させて、低所において、つる植物の手入れを行ったり、実の収穫を行ったりすることができて、作業を容易に行うことができる。しかも、バネ１３…と中桟１２…とによってつる植物が上記のように上下方向において均等的に短縮されることにより、つる植物が傷付いてしまうのを防ぐことができる。
【符号の説明】
【００２５】
１…植物誘引装置
２…支柱
４…下桟
５…上桟
１２…中桟
１３…バネ
１４…植物誘引ネット
【図１】
2010252725.tif 000003
【図２】
2010252725.tif 000004
【図３】
2010252725.tif 000005
【図４】
2010252725.tif 000006